(57)【要約】【課題】日本国内に於ける住宅火災による焼死者は、毎年２万人に達しているが、住宅火災の発生はその大部分が木造住宅であり、これを改善する方法は住宅建築を耐火構造としなければならないが、現段階に於いて耐火構造である鉄筋コンクリート構造の建築費は、木造のそれに比べて約２倍となっておりこの事が住宅の耐火構造への転換を阻害している。又，木造に使われる大量の木材が世界の木材資源を荒廃させている事も大きな課題である。【解決手段】本発明は鉄筋コンクリートの建築物を組み立て工法で築造する工法であるが、コンクリートの成形には石材の板材を使用するので、型枠等の木材は殆ど使用しない。建築物を工場に於いて構造パーツやユニット部材として製造し、現場に搬入して組み立てるが、工期が短い事と高級石材を使用する事により、グレードの割に工事費は安い。【選択図】図１
2007032260.tif 000002
【特許請求の範囲】
【請求項１】
鉄筋コンクリート造で、ラーメン構造の建築物を、組立式工法で築造する場合に、ラーメン架構材のうちの１本の柱と、その下部工である基礎フーチングとを一体型パーツとして工場に於いて製作した後、建築現場に搬入して立設する事を特徴とする建築工法。
【請求項２】
請求項１の一体型パーツには、工場に於いて製作の過程で、ラーメン架構材として必要な鉄筋仕口や、鉄骨仕口を装備しており、これらを建築現場の所定の位置にそれぞれ立設した後に、一体型パーツの相互間の鉄筋仕口に鉄筋を装備して、地中梁コンクリートを打設する事を特徴とする建築工法。
【請求項３】
請求項1の一体型パーツは、工場での製作の過程で、コンクリートの成形手段として、装飾的表面を有する石材の板材を利用しており、コンクリートを打設後は、そのままコンクリートの躯体を形成する為に、保水法によるコンクリート打設を行う事を特徴とする建築工法。
【請求項４】
請求項１の一体型パーツの立設後に、地中梁コンクリートを打設した段階で、ラーメン架構部材の組立工法は完了し、以降の工程は、装飾的表面を有する石材の板を直接コンクリートの成形手段として利用する為の、石材型枠工法による施工法となるが、この工法は建築構造物の整形手段として、石材の板材を、成形加工して接着剤で固結し、更に補助的なサポートを行って、直接コンクリートを打設する工法であり、コンクリート打設と同時に仕上げとなる事と、装飾的表面を有する大理石等の仕上材が、コンクリートと一体構造となる事を特徴とする建築工法。
【請求項５】
此の工法は、石材の型枠の組立工法であるが、実際には一定のモヂュールを持つ組立ユニットを製作して、壁面用、梁型用等の形態に対応したユニットを設置して、コンクリートを打設するので、コンクリート打設と同時に一発仕上げとなる事を特徴とする組立式建築工法。
【請求項６】
ラーメン架構柱の1階部分は立設となるが、2階部分以上の階は、柱型、梁型、耐力壁等、すべての構造部材は、装飾的表面を有する石材の板材を加工成形した型枠ユニットを設置して、コンクリートを打設する事を特徴とする建築工法と、その石材型枠ユニット。
【発明の詳細な説明】
【技術分野】
【０００１】
本発明は鉄筋コンクリート造の建築物を組立工法で築造する場合の組立部材及び組立式工法に関する。
【背景技術】
【０００２】
一般的な課題として、日本に於ける年間２万人にのぼる、木造住宅火災による焼死者の救済問題がある。日本の住宅は、その90％以上が木造住宅であり、耐火構造とする事が急務であるが、現今に於ける在来工法による、鉄筋コンクリート造の住宅の建築費が、木造住宅の２倍に達している事及び、木造住宅に消費される大量の木材が、ＣＯ２問題にも大きな課題となっている等の事情がある。
【０００３】
先願特許である、特開平279313について述べる。該特許の要約書には、
「目的」  石柱石壁を工場生産により量産して置き、施工現場で簡単に組み立てる様にして作業の簡略化、工期の短縮及び施工コストの低廉化を図る。
「構成」  石柱は内側を刳り貫いて上下両端面が開放される中空筒状の化粧石材１を形成し、該化粧石材１内に軽量コンクリートである結合材１６を充填すると共に、上下方向に鉄筋３を串通してなり、該鉄筋３は下端部を前記化粧石材１の下端面より突出させ、更にその下端部外周に、アンカーボルト35の挿通孔４を有するフランジ５を周設するようにした。と記載されている。
【０００４】
又、別の先願特許である特開平10-46658について述べる。該特許の名称は、石組簡易住宅及び石組工法となっており、要約書には
「課題」  あらかじめ必要な寸法に切断、切削して形成した石材パネルを別の石材パネルに接合ピンを介して組み立てることにより、短期間で組み立てを完了でき、かつ美観、高級感を表現でき、冷暖房効率も高い石組簡易住宅を提供する。
「解決手段」  あらかじめ必要な寸法に石材を切断、切削して形成した石材パネルを別の石材パネルに接合ピンを介して接合した石組簡易住宅であって、前記石材パネルの内、壁用石材パネル１を別の壁用石材パネル１に接合して形成した外周壁部と、前記壁用石材パネル１の端面部で形成した窓用空間の外周部10と壁用空間の外周部11と、前記石材パネルの内、屋根用石材パネル12を別の屋根用石材パネル12に接合し、且、各屋根用石材パネル12を前記外周壁部の最上部の壁用石材パネル１に接合して形成した屋根部と隣接する前記石材パネル間の隙間に充填されたシーリング材とを備える。と記載されている。
【特許文献１】特開平7−279318号公報
【特許文献２】特開平10−46658号公報
【発明の開示】
【発明が解決しようとする課題】
【０００５】
先願特許特開平7−279313については現在の建築基準法の構造基準には全く対応出来ない構造である。その根拠は、該構造には耐震性能と耐火性能は全く欠如している事である。先ず、耐震性能については石柱、石壁共に単なる屏風立てであるので、耐震性能は全く無く、石柱、石壁構造上耐震性補強をする方法も無い。又、耐火性能については石柱、石壁共にそれ自体には耐火性能は認められるが、建築物としての耐火性脳性能を論ずる場合には構造物の規模が小さ過ぎて判断材料には不適当であると思われる。
【０００６】
先願特許特開平10-46658については、石材のブロックを単に接合ピンで組立てると言う工法であるが、鉄筋又は鉄骨で補強する工法ではなく、又、補強する事は構造上不可能であるので、建築物としては、簡単なものであっても、非常に危険な構造である。壁体、屋根部分共に石材であるので、幾分の耐火性能は認められるが、建築物自体の構造に根本的欠陥があり、その構造上、補強が不可能であるので、建築物としての性能は論外であると思われる。
【０００７】
鉄筋コンクリートラーメン構造の、建築物を築造する場合の従来の技術は、全て建築現場に於いて成形築造する技術であった為、大量の仮設材と木製の型枠材料を必要とし、作業には大工、鉄筋工等の熟練した職人を多数投入し、且つ、高度の施工管理を必要とした上に、必然的に、長期の工事日数を要した、事による、固定費の増大等の要因を合わせて、結果的に高額の工事費を要しているのであるが、これらの課題を１日も早く解決する事が
【課題を解決するための手段】
【０００８】
本件発明は、これらの課題を解決する方法として、鉄筋コンクリート造の建築物を低価格で提供する技術を開発するものであるが、特に本格的な工法であるラーメン構造にて築造する場合の工法について、これを組み立て式工法とするものであり、「0004」や「0005」に示す先願特許や又、従来の工法であるコンクリートパネルの組み立て工法のように、構造耐力上の制約は特に無く、すべての鉄筋コンクリートの住宅に適用し、利用できる工法であり、その耐震性と耐火性に加えて、省資源工法でもある事により、これらの課題を一挙に解決しようとするものである。
【発明の効果】
【０００９】
本発明は建築物の躯体部分の約７０％を工場製品とする工法であるが、築造する壁面の９０％については、装飾的表面を有する石材の板石を仕上材として使用するので、コンクリート打設同時に完成となる工法であり、工程を大幅に短縮する事と型枠等の仮設材の使用は１０％程度となる等、コストダウン効果も大きいので、画期的な工法であると言える。
【００１０】
本発明は木造住宅を鉄筋コンクリート造に変換する事により、木造住宅に使われていた大量の木材の使用量を大幅に削減するのみならず、鉄筋コンクリート造の建築に於いても仮設材や型枠工事に使用される大量の木材をも大幅に削減するので、現今、世界的に取り組んでいるＣＯ２問題や、森林資源の保護に、大きく貢献するものである。
【００１１】
発明の実施の方法について、図面を参照して説明する。図1は請求項1・及び請求項２に規定する鉄筋コンクリート製の柱形部分と、基礎フーチング部分の一体型パーツ部材の立設図であり、表面の仕上げ部分には装飾的表面を有する石材の板材を使用しており、立設と同時に仕上部分は完了となる。又、該パーツ部材には、地中梁コンクリートに接続用の鉄筋仕口・耐力壁コンクリートに接続用の鉄筋仕口Ｂ・2階梁コンクリートに接続用の鉄筋仕口Ｃ・スラブコンクリートに接続用の鉄筋仕口Ｄ・上階の柱型コンクリート接続用の鉄筋仕口Ｅ・が、それぞれ装備されている。
【００１２】
図2は、柱型と基礎フーチングの一体型パーツ部材の相互間に地中梁コンクリート及び、１階耐力壁ユニットを取設し、更に２階梁型ユニット並びにスラブユニットを取設する肯定をモデル図としたものである。
【００１３】
図３は請求項３、及び、請求項4に規定する壁式ラーメン工法の場合の詳細図であり、耐力壁と基礎フーチングとの一体型パーツ部材の相互間に、地中梁コンクリートを打設した後、該パーツ部材の相互間に壁体ユニットを挿入してコンクリートを打設し、更に上部に、梁型ユニット並びに、スラブコンクリートユニットを設置してコンクリートを打設する。
【００１４】
図4及び図5は、各種のコンクリート形成ユニットの詳細図であり、装飾的表面を有する石材の板材で組み立てるものであり、モデルー１は、組立図の一例である。
【００１５】
図6は、壁体ユニット組立図である。
【図面の簡単な説明】
【００１６】
【図１】請求項1・及び請求項２・に規定する鉄筋コンクリート製の、柱型部分と基礎フーチング部分の、一体型パーツ部材の立設図である。
【図２】柱型と基礎フーチングとの一体型パーツ部材の相互間に、地中梁コンクリート及び1階耐力壁ユニットを取設し、更に2階梁型ユニット並びにスラブユニットを取設する工程を、モデル図としたものである。
【図３】請求項３、及び、請求項４に規定する壁式ラーメン工法の場合の詳細図である。
【図４】各種のコンクリート形式のユニットの詳細図である。
【図５】各種のコンクリート形式ユニットの詳細図であり、モデルー１は、組立図の１例である
【図６】壁体ユニット組立図である。
【図１】
2007032260.tif 000003
【図２】
2007032260.tif 000004
【図３】
2007032260.tif 000005
【図４】
2007032260.tif 000006
【図５】
2007032260.tif 000007
【図６】
2007032260.tif 000008